(57)【要約】      （修正有）【課題】パターをストロークしてボールを打ち出すとき、打者がヘッドに働く回転モーメントを敏感に感じ取り、ボールを所定の方向に真っ直ぐ打ち出せるゴルフパターを提供する。【解決手段】パター１１における、ヘッド１２に取り付けられたネック１３は、Ｕ字状を９０度回転させ、横向きにした形をしており、Ｕ字状の底辺に相当する縦方向の部材１３Ｃの軸線を屈曲させ、Ｕ字状の脚部に相当する上部の部材１３Ｄと、下部の部材１３Ｂの平面的な位置関係で距離を設け、さらに下部の部材１３Ｂの頭部を、ヘッド１２のブレード１２ａの背面で、ヘッド１２の上下方向の重心あるいは重心付近の水平面内に固定することによって、打者はストローク時に働くヘッド１２の慣性モーメントを抑制して、安定したパッティングをすることができる。【選択図】図２
2008114027.tif 000002
【特許請求の範囲】
【請求項１】
ヘッドと、該ヘッドに取り付けられたネックと、該ネックの上端に取り付けられているシャフトからなり、該ネックの主体形状は、Ｕ字状を９０度回転させて、横向きに配置した形になっており、該ネックの取り付けは、該ヘッドの打球面を構成するブレードの背面に、該ネックのＵ字状の脚部に相当する下部部材の頭部が固定されており、該ネックのＵ字状の底辺に相当する縦方向の部材は、該ネックの固定端より打球方向の後方に位置するようにし、且つＵ字状の底辺に相当する部材軸を、屈曲させたことを特徴とするゴルフパター。
【発明の詳細な説明】
【技術分野】
【０００１】本発明はゴルフパターに関するものである。
【背景技術】
【０００２】  従来、例えば図１３〜図１５に示すように、ヘッド（２）と、該ヘッド（２）にネック（３）を介して取り付けられているシャフト（４）とからなるゴルフパター（１）において、該ネック（３）は、該ヘッド（２）に取り付く垂直の軸線（３Ａ）と、次に、打者から見て後方且つ水平に折り曲げられた軸線（３Ｂ）と、次に上方且つ、打球方向側に傾斜して折り曲げられた軸線（３Ｃ）と、次に、打者から見て前方側で且つ水平に折り曲げられた軸線（３Ｄ）と、次にシャフト（４）に取り付く、上部方向で斜め後方に折り曲げられた軸線（３Ｅ）とからなり、該ヘッド（２）に取り付く垂直の軸線（３Ａ）と、該ネック（３）がシャフト（４）に取り付く、同軸芯の、上方斜め方向の軸線（３Ｅ）に挟まれた軸線（３Ｂ）並びに、（３Ｃ）、（３Ｄ）は、脚長の異なるＵ字状の部材を９０度回転させて、横向きに取り付けられた構成が提供されている。
該パター（１）は、ヘッド（２）にネック（３）を介してシャフト（４）が垂直軸（Ｖ）より１０度以上の角度（Θ）をもって打者側に傾斜して取り付けられていることから、該シャフト（４）を持ってボールを打ち出す打球時には、打球方向の狂いが生じやすい欠点があるとされている。
【発明の開示】
【発明が解決しようとする課題】
【０００３】  このようなパター（１）にあっては、図１３〜図１５に示すように、打球時にシャフト（４）を持って、ヘッド（２）を打球方向に振り出すことにより、打撃力は、シャフト（４）の先端同軸芯の軸線（３Ｅ）を介して、該ネック（３）のＵ字状の脚部に相当する上段の水平軸線（３Ｄ）に打撃力が伝わり、さらに打力は、順次該ネック（３）のＵ字状の底辺に相当する斜め縦方向の軸線（３Ｃ）、そして、Ｕ字状脚部に相当する下段の水平軸線（３Ｂ）を通り、更に該ヘッド（２）からの立ち上がり軸線（３Ａ）へと伝わって、該ヘッド（２）を打球方向に振り出すことになる・。【０００４】  この時、図１３に示すように、シャフト（４）は、垂直軸（Ｖ）より打者側に１０度以上の角度（Θ）をもってネック（３）に取り付けられていることから、打撃時には、シャフト軸（Ｐ）を中心として該ヘッド（２）の回転がし易く、打者には該ヘッド（２）の回転力の強弱が伝わり難いため、所定の方向に該ヘッド（２）を振り出すことが難しく、打球方向の狂いが生じやすい。【０００５】  すなわち打力は、シャフト（４）を持ってヘッド（２）を打球方向に振り出すことにより、該シャフト（４）の取り付け部になる、該ネック（３）の縦方向の同軸芯の軸線（３Ｅ）を介して、該ネック（３）のＵ字状脚部に相当する上段の軸線（３Ｄ）を通り、順次打力は該ネック（３）のＵ字状底辺部に相当する斜め縦方向の軸線（３Ｃ）、Ｕ字状脚部に相当する下段の軸線（３Ｂ）、更に該ヘッド（２）からの立ち上げ軸線（３Ａ）に伝わって、該ヘッド（２）を打球方向に振り出す打撃力になるが、此の時、該ヘッド（２）の振り出し方向を打者の感覚でコントロールするには、該ネック（３）のＵ字状底辺部に相当する、斜め縦方向の軸線（３Ｃ）が一直線になっているため、打球時には、ヘッド（２）の回転力が軸芯を通り易くなる。このため、慣性モーメントの働きの強弱を打者の感覚で掴み難くなるので、打球時の方向性が悪くなる欠点がある。【０００６】  またＵ字状をした該ネック（３）の脚部に相当する下段の部材（３Ｂ）並びに上段の部材（３Ｄ）の軸線は、該ヘッド（２）の長手方向と同じく、打者から見て、前後方向に長くなる位置関係に取り付けられており、打者がシャフト（４）を持ってヘッド（２）を打球方向に振り出そうとするとき、該ヘッド（２）の振り出し方向を打者の感覚でコントロールするには、打球時に働くヘッド（２）の回転モーメントの働きの大きくなり、その強弱が、打者に伝わり難いため、所定の方向にボールを打ち出すことが困難になる欠点がある。
【課題を解決するための手段】
【０００７】  本発明は、上記従来の課題を解決するための手段として、図１〜図４に示すように、ヘッド（１２）と、該ヘッド（１２）に取り付けられているネック（１３）と、シャフト（１４）とからなるゴルフパター（１１）において、該ネック（１３）は、該ヘッド（１２）の打球面を構成するブレード（１２ａ）の背面に、脚長の異なるＵ字状を９０度回転させ、横向きにした、該ネック（１３）の脚部に相当する下部の部材（１３Ｂ）の頭部が固定され、該ネック（１３）のＵ字状底辺に相当する部材（１３Ｃ）は、打球方向より反対後方に位置するように取り付けられたネック（１３）を提供するものである。【０００８】  また該ヘッド（１２）と、該ヘッド（１２）に取り付けられているネック（１３）と、シャフト（１４）とからなるゴルフパター（１１）において、該ネック（１３）は、脚長の異なるＵ字状を９０度回転させ、横向きにした形をしており、該ネック（１３）のＵ字状脚部に相当する下部の部材（１３Ｂ）と、Ｕ字状脚部に相当する上部の部材（１３Ｄ）に挟まれた、Ｕ字状底辺に相当する縦方向の部材は、部材の中程で、打者から見て前方に折り曲げられた構成のゴルフパター（１１）を提供するものである。【０００９】  また該ヘッド（１２）と、該ヘッド（１２）に取り付けられているネック（１３）と、シャフト（１４）とからなるゴルフパター（１１）において、該ネック（１３）は、脚長の異なるＵ字状を９０度回転させ、横向きにした形をしており、該ヘッド（１２）に取り付く、Ｕ字状脚部に相当する下部の部材（１３Ｂ）と、Ｕ字状脚部に相当する上部の部材（１３Ｄ）は打球方向に平行に取り付けられており、該ネック（１３）のＵ字状を９０度回転させた、Ｕ字状下部の部材（１３Ｂ）より、Ｕ字状上部の部材（１３Ｄ）の方が打者から見て平面上で前方に位置した構成のゴルフパター（１１）を提供するものである。【００１０】  さらに、ネック（１３）が、ヘッド（１２）に取り付く位置は、図１・図２・図３に示すとおり、ヘッド（１２）の打球面を構成する、ブレード（１２ａ）の背面で、しかも、該ヘッド（１２）の上下方向の重心水平面内を含む、重心付近の水平面内に取り付けられた構成のゴルフパター（１１）を提供するものである。
【発明の効果】
【００１１】  本発明は、図１〜図４に示すように、打者がボールを所定の方向に打ち出そうとするとき、該ヘッド（１２）は、打球方向の前後の垂直面内を、円弧状で、左右に移動する運動軌跡が不可欠になるが、図１３・図１４に示すとおり、該シャフト（４）は、垂直軸（Ｖ）に対して、打者側に１０度以上の角度（Θ）をもって取り付けられていることから、該シャフト（４）を持って、ヘッド（２）を所定の方向にボールを打ち出そうとしても、パッティング時には、シャフト（４）の軸芯を中心にしてヘッド（２）に水平方向の慣性モーメントが働いて、打球方向に狂いが生じ易く、あるいは、該ネック（３）とヘッド（２）との取り付け位置を中心にして、ヘッド（２）に水平方向の慣性モーメントが働いて、打球方向に狂いが生じ易くなる。このことから図１・図２に示すとおり、ネック（１３）のＵ字状の形を９０度回転させ横向きにした、該ネック（１３）のＵ字状脚部に相当する下部の部材（１３Ｂ）と、Ｕ字状脚部に相当する、上部の部材（１３Ｄ）の軸線を打球方向の軸線に平行になるように取り付けることにより、打者がシャフト（１４）を持ってボールを所定の方向に打ち出そうとするとき、該ヘッド（１２）に働く慣性モーメントの働く強弱が、該ネック（１３）のＵ字状脚部に相当する上下の部材（１３Ｂ）・（１３Ｄ）に伝わり易くなり、また打球方向に平行に取り付けられていることから、ヘッド（１２）の振り出しの方向の目印にもなって、ボールを所定の方向に打ち出し易くなる。【００１２】  また、ヘッド（１２）と、該ヘッド（１２）に取り付けられているネック（１３）とシャフト（１４）とからなるゴルフパター（１１）において、該ネック（１３）の内、シャフトに取り付く部材（１３Ｅ）より下位の部分は、Ｕ字状を９０度回転させ、横向きにした形をしており、そのうちＵ字状の底辺に相当する縦方向の部材（１３Ｃ）を中程で打者側から見て前方に折り曲げることによって、該ヘッド（１２）のブレード（１２ａ）の背面に取り付く、Ｕ字状の脚部に相当する下部の部材（１３Ｂ）とＵ字状の脚部に相当する上部の部材（１３Ｄ）とは、打者側から見た平面で前後にズレが生じ、図２に示すように、Ｕ字状の脚部に相当する下部の部材（１３Ｂ）と、上部の部材（１３Ｄ）との間には距離（Ｅ）が生まれる。この結果、ネック（１３）は平面的にみて、該ネック（１３）のシャフト（１４）と同じ軸芯にある斜め縦方向の部材（１３Ｅ）と、Ｕ字状の脚部に相当する下段の部材（１３Ｂ）と、Ｕ字状脚部に相当する、上部の部材（１３Ｄ）と、Ｕ字状の底辺に相当する部材（１３Ｃ）とで形成する形は打者から見ると、平面的に矩形になる。このことにより、打者が、シャフト（１４）を持って所定の方向にボールを打ち出そうとする時に働く、ヘッド（１２）の慣性モーメントは平面的に見た矩形の形で感じ取ることが出来、ボールの打撃時には慣性モーメントの働きを抑制することが出来るので、打者は容易に所定の方向にボールを打ち出し易くなる。【００１３】  さらに、該ネック（１３）は、該ヘッド（１２）の打球面を形成するブレード（１２ａ）の背面で、しかも該ヘッド（１２）の上下方向の重心あるいは重心に近い水平面内の位置に、該ネック（１３���のＵ字状脚部に相当する下部の部材（１３Ｂ）の頭部が固定されている。そこで、打者が、シャフト（１４）を持ってボールを打ち出そうとするとき、打力はシャフト（１４）から該ネック（１３）のシャフトに取り付く部材（１３Ｅ）を経由して、該ネック（１３）のＵ字状の脚部に相当する上部の部材（１３Ｄ）を通り、順次Ｕ字状の底辺に相当する部材（１３Ｃ）を通り、Ｕ字状の脚部に相当する下部の部材（１３Ｂ）を通って、ヘッド（１２）に伝わるが、該ネック（１３）が該ヘッド（１２）に取り付く位置は、該ヘッド（１２）の上下方向の重心あるいは重心に近い水平面内に在るので、該ヘッド（１２）と該ネック（１３）のＵ字状の脚部に相当する部材（１３Ｂ）とは該ヘッド（１２）の上下方向の重心軸と同じ水平面内を運動するので、打力がヘッド（１２）に直接安定して伝わる。このことにより、打者が所定の方向にボールを打ち出そうとするとき、過度な慣性モーメントが働き難くなり、所定の方向に安定したストロークができる。【００１４】  以下、本発明を実施例１・実施例２・実施例３により詳細に説明をする。
【実施例１】
【００１５】  本発明を図１〜図４に示す実施例によって説明をする。
図１に示すように、ヘッド（１２）と、該ヘッド（１２）に取り付けられているネック（１３）と、シャフト（１４）とからなるゴルフパター（１１）において、図３に示すように、該シャフト（１４）と同じ軸心をもつ、該ネック（１３）の上端の部材（１３Ｅ）より下位の部分は、脚長の異なるＵ字状を９０度回転させ、横向きにした形をしており、図２・図３に示すように、該ネック（１３）のＵ字状の脚部に相当する上部の部材（１３Ｄ）と、Ｕ字状の脚部に相当する下部の部材（１３Ｂ）それぞれの部材の軸線は、ヘッド（１２）の打撃面を形成するブレード（１２ａ）の垂直面に対して直角に構成されたゴルフパター（１１）が提供されている。このことから、打者がシャフト（１４）を持って、所定の方向にボールを打ち出そうとするとき、打球方向に平行な２本の軸線、いわゆる、脚長の異なるＵ字状を９０度回転をさせ、横向きにした、Ｕ字状の脚部に相当する下部の部材（１３Ｂ）の軸線と、同じく脚部に相当する上部の部材（１３Ｄ）の軸線は、それぞれが、上下、前後共に平行関係にあるので、パッティング時には、ボールの打ち出し方向の目標になり、さらに該ヘッド（１２）の振り出しに伴って発生する慣性モーメントを２本の軸で支持することが出来、打者は所定の方向にボールを打ち出すことが容易になる。【００１６】  また、該ネック（１３）のＵ字状を９０度回転させ、横向きにした底辺に相当する縦方向の部材（１３Ｃ）は、中程で、打者側から見て前方に折り曲げられており、該Ｕ字状の底辺に相当する縦方向の部材（１３Ｃ）を折り曲げられた上位の部材（１３Ｃ−１）は打球面に対して平行且つ水平になっており、同じく折り曲げられた下位の部材（１３Ｃ−２）それぞれは、該ヘッド（１２）のブレード（１２ａ）の垂直面に平行に構成されている。このことから、該ネック（１２）のシャフト（１４）に取り付く同じ軸芯の部材（１３Ｅ）を除く下位の部分は、Ｕ字状を９０度回転をさせ、横向きにした形の、各々の部材で形成された、仮想点を含む、屈折点を結んだ形は、図２及び図３に示すように、立体的な箱型が形成される。この結果、打者が、シャフト（１４）を持って、所定の方向にボールを打ち出そうとするとき、該ヘッド（１２）に働く慣性モーメントを、ネック（１３）は立体的な箱型で支持することになり、ヘッド（１２）に働く慣性モーメントの強弱を感じ取り易くなり、また慣性モーメントの働きを抑制することが出来るので、打者は所定の方向にボールを打ち出し易くなる。【００１７】  また、該ネック（１３）は、該ヘッド（１２）の打撃面を構成する、ブレード（１２ａ）の背面で、該ヘッド（１２）の打者側から見て後方で、且つ上下方向の重心あるいは重心付近の水平面内に、該ネック（１３）のＵ字状を９０度回転させ、横向きにした脚部に相当する部材（１３Ｂ）の頭部を固定した構成をしている。このことにより、図１３に示すように、該ネック（３）は、該ヘッド（２）打球面を形成しているブレード（２ａ）の天端の後端付近に垂直方向に固定されているので、打球時には、ヘッド（２）の上下方向の重心面とヘッド（２）の打球面を形成するブレード（２ａ）の天端までの間に距離があるので、該ヘッド（２）の振り出し時には��性モーメントが発生しやすいので、所定の方向にボールを打ち出すコントロールが難しくなる。一方、図１・図２・図３に示す本発明の該ネック（１３）の取り付け位置は、該ヘッド（１２）の上下方向の重心あるいは、重心付近の水平面内に、該ネック（１３）のＵ字状の脚部に相当する下部の部材（１３Ｂ）の頭部を、打球方向に平行で且つ水平に取り付いており、しかも該ネック（１３）の部材（１３Ｂ）の軸線は長さを持っているので、打球時には打力によって働く慣性モーメントの発生を極度に抑制し、直接該ヘッド（１２）に伝達されるために、打者は容易にボールを所定の方向に打ち出すことが可能になる。
【実施例２】
【００１８】  本発明を図５〜図８に示す実施例によって説明をする
図５に示すように、ヘッド（２２）と、該ヘッド（２２）に取り付けられているネック（２３）と、シャフト（２４）とからなるゴルフパター（２１）において、図７に示すように、該シャフト（２４）と同じ軸心を持つ、該ネック（２３）の上部の部材（２３Ｅ）より下位の部分は、脚長の異なるＵ字状を９０度回転させ、横向きにした形をしており、図６・図７に示すように、該ネック（２３）のＵ字状の脚部に相当する上部の部材（２３Ｄ）と、Ｕ字状の脚部に相当する下部の部材（２３Ｂ）それぞれの部材の軸線は、ヘッド（２２）の打撃面を形成するブレード（２２ａ）の垂直面に対して直角に構成されたゴルフパター（２１）が提供されている。このことから、打者がシャフト（２４）を持って、所定の方向にボールを打ち出そうとするとき、打球方向に平行な２本の軸線、いわゆる、脚長の異なるＵ字状を９０度回転をさせ、横向きにした、Ｕ字状の脚部に相当する下部の部材（２３Ｂ）の軸線と、同じく脚部に相当する上部の部材（２３Ｄ）の軸線は、それぞれが、上下、前後共に平行関係にあり、しかも該ヘッド（２２）の打球方向に平行に構成されているので、パッティング時には、ボールの打ち出し方向の目標になり、しかも、２本の軸でヘッド（２２）を支えることが出来るので、ヘッド（２２）の振り出しに伴って発生する慣性モーメントの働きを、打者は感じやすくなり、慣性モーメントの働きを抑制することが出来るので、所定の方向にボールを打ち出すことが容易になる。【００１９】  また、該ネック（２３）のＵ字状を９０度回転させ、横向きにした、底辺に相当する縦方向の部材（２３Ｃ）は、中程で打者側から見て後方に折り曲げられており、該縦方向の部材（２３Ｃ）の上位の部材（２３Ｃ−１）は上方に向けて垂直になっており、該縦方向の部材（２３Ｃ）の折り曲げられた下位の部材（２３Ｃ−２）は、水平で、且つヘッド（２２）の打球面に平行になるように構成されている。このことから、該ネック（２３）のシャフト（２４）に取り付く同じ軸心の部材（２３Ｅ）を除く下位の部分は、Ｕ字状を９０度回転させ、横向きにした形の、各々の部材で形成された、仮想点を含む、屈折点を結んだ形は、図６及び図７に示すように、立体的な箱型が形成される。この結果、打者がシャフト（２４）を持って所定の方向にボールを打ち出そうとするとき、該ヘッド（２２）に働く慣性モーメントをネック（２３）の立体的な箱型で支持することが可能になり、該ヘッド（２２）に働く慣性モーメントの強弱を感じ取り易くなり、また慣性モーメントの働きを抑制することが出来るので、打者は所定の方向にボールを打ち出し易くなる。【００２０】  また、該ネック（２３）は、該ヘッド（２２）の打撃面を構成する、ブレード（２２ａ）の背面で、該ヘッドの打者側から見て後方で、且つ上下方向の重心あるいは重心の水平面内に、該ネック（２３）のＵ字状を９０度回転させ、横向きにした、脚部に相当する下部の部材（２３Ｂ）の頭部を固定した構成をしている。このことにより、図１３に示すように、該ネック（３）は該ヘッド（２）の打球面を形成している、ブレード（２ａ）の天端の後端付近に垂直方向に固定されているので、打球時にはヘッド（２）の上下方向の重心面��、該ヘッド（２）の打球面を形成する、ブレード（２ａ）の天端までの間に距離があるので、該ヘッド（２）の振り出し時には、慣性モーメントが発生しやすくなるので、所定の方向にボールを打ち出すコントロールが難しくなる。一方図６・図７・図８に示す、本発明の該ネック（２３）の取り付け位置は、該ヘッド（２２）の打球面を形成するブレード（２２ａ）の背面で、該ヘッド（２２）の上下方向の重心あるいは、重心付近の水平面内に、該ネック（２３）のＵ字状の脚部に相当する下部の部材（２３Ｂ）の部材の頭部が固定されており、その軸線は打球方向に平行で且つ水平に取り付けられており、しかも該ネックの部材（２３Ｂ）の軸は長さを持っているので、打球時には打力によって働く慣性モーメントの働きを極度に抑制し手、直接、ヘッド（２２）に伝達されるために、打者は容易にボールを所定の方向に打ち出すことが可能になる。
【実施例３】
【００２１】  本発明を図９〜図１２に示す実施例によって説明をする。
図９に示すように、ヘッド（３２）と、該ヘッド（３２）に取り付けられているネック（３３）と、シャフト（３４）とからなるゴルフパター（３１）において、図１１に示すように、該シャフト（３４）と同じ軸心をもつ、該ネック（３３）の上端の部材（３３Ｅ）より下位の部分は、脚長の異なるＵ字条を９０度回転をさせ、横向きにした形をしており、図１０・図１１に示すように、該ネック（３３）のＵ字状の脚部に相当する上部の部材（３３Ｄ）と、Ｕ字状の脚部に相当する下部の部材（３３Ｂ）それぞれの部材の軸線は、該ヘッド（３２）の打球面を形成するブレード（３２ａ）の垂直面に対して直角に構成されたゴルフパター（３１）が提供されている。このことから、打者がシャフト（３４）を持って、所定の方向にボールを打ち出そうとするとき、打球方向に平行な２本の軸線、いわゆる、脚長の異なるＵ字状を９０度回転をさせ、横向きにした、Ｕ字状の脚部に相当する下部の部材（３３Ｂ）の軸線と、同じく脚部に相当する上部の部材（３３Ｄ）の軸線は、それぞれが、上下、前後共に平行関係にあるので、パッティング時には、ボールの打ち出し方向の目標になり、さらに該ヘッド（３２）の振り出しに伴って発生する慣性モーメントを２本の軸で支持することが出来、打者は所定の方向にボールを打ち出すことが容易になる。【００２２】  また、該ネック（３３）のＵ字状を９０度回転させ、横向きにした底辺に相当する縦方向の部材（３３Ｃ）は、中程で打者側から見て前方に折り曲げられており、該Ｕ字状の底辺に相当する、縦方向の部材（３３Ｃ）は、加工工程の前段階において、折り曲げられた上位の部材（３３Ｃ−１）は打球面に対して平行且つ水平になっており、同じく折り曲げられた下位の部材（３３Ｃ−２）それぞれは、該ヘッド（３２）のブレード（３２ａ）の垂直面に平行に構成させる。次の加工工程の段階で、Ｕ字状を９０度回転をさせて、横向きにした該ネック（３３）の底辺に相当する縦方向の部材（３３Ｃ）の屈折点はヘッド（３２）の打球面寄りに位置するように構成されている。このことから、該ネック（３３）のシャフト（３４）に取り付く同じ軸心の部材（３３Ｅ）を除く下位の部分はＵ字状を９０度回転させ、横向きにした形の各々の部材で形成された仮想点を含む、屈折点を結んだ形は、図１０及び図１１に示すように、立体的な箱型が形成される。また、Ｕ字状の底辺に相当する縦方向の部材（３３Ｃ）の屈折点を該ヘッド（３２）の打球面側に寄せることで、該縦方向の上位の部材（３３Ｃ−１）と、下位の部材（３３Ｃ−２）の各々は打球方向に向かって斜め方向に位置するため、打者がテークバックをしたときに、打球方向の垂直面内の円弧上に抵抗なくヘッド（３２）を引き上げることが出来る。この結果、打者がシャフト（３４）を持って、所定の方向にボールを打ち出そうとするとき、該ヘッド（３２）に働く慣性モーメントを、ネック（３３）の立体的な箱型で支持することが出来、ヘッド（３２）に働く慣性モーメントの強弱を感じ取り易くなり、また慣性モーメントの働きを抑制することが出来るので、打者は所定の方向にボールを打ち出し易くなる。【００２３】  また、該ネック（３３）は、該ヘッド（３２）の打球面を構成する、��レード（３２ａ）の背面で、該ヘッド（３２）の打者側から見て後方で、且つ上下方向の重心あるいは重心付近の水平面内に、該ネック（３３）のＵ字状を９０度回転させ、横向きにした脚部に相当する下部の部材（３３Ｂ）の頭部を固定した構成をしている。このことにより、図１３に示すように、該ネック（３）は、該ヘッド（２）の打球面を形成しているブレード（２ａ）の天端の後端付近に垂直に固定されているので、打球時には、ヘッド（２）の上下方向の重心面とヘッド（２）の打球面を形成するブレード（２ａ）の天端までの間に距離があるので、該ヘッド（２）の振り出し時には慣性モーメントが発生しやすくなるので、所定の方向にボールを打ち出すコントロールが難しくなる。一方、図９〜図１２に示す本発明の該ネック（３３）の取り付け位置は、該ヘッド（３２）の上下方向の重心あるいは、重心付近の水平面内に、該ヘッド（３２）のＵ字状の脚部に相当する下部の部材（３３Ｂ）の頭部を固定し、その軸線は打球方向に平行で且つ水平に取り付けられており、しかも該ネック（３３）の部材（３３Ｂ）の軸線は長さを持っているので、打球時には打力によって働く慣性モーメントの発生を極度に抑制し、直接ヘッド（３２）に伝達されるため、打者は容易にボールを所定の方向に打ち出すことが可能になる。【００２４】  以上、本発明の実施の形態を実施例により説明したが、本発明の範囲はこれに限定されるものではなく、請求項に記載された範囲内において、目的に応じて変更・変形することが可能である。
例えば、Ｕ字状の形を９０度回転させて、横向きにしたネックにおいて、脚部に相当する上下の部材各々は、打球面の垂直面に対して必ずしも直角でなくてもよく、若干の角度が付いて捩れていても良い。また、Ｕ字状の底辺に相当する縦方向の部材は中程で屈曲しているが、屈曲された上下の各々の部材が構成する屈曲角度を限定するものではなく曲線状でも良い、また各々の一辺が必ずしも水平でなくても良く、若干の上下に角度が付いていても良い、さらに打球面の垂直面に対して必ずしも平行でなくても良く捩れていても良い。さらに、ネックとヘッドとの固定位置はヘッドの上下方向の重心あるいは重心付近の水平面内にあり、打者から見てヘッドの前後のいずれの位置に有っても良く、さらに、ネックとヘッドの取り付け方法は限定するものではなく、ネックとヘッドとを一体で製造するほか、ネックとヘッドの接合は溶接や、圧着でも良く、ソケットをヘッドに取り付けておき、ネックを差し込んで固定をしても良い。
【産業上の利用可能性】
【００２５】    本発明は、ゴルフのラウンドにおいて、プレーヤーが安定したパッティングが出来るパターとして、産業上利用することが出来る。
【図面の簡単な説明】
【００２６】
【図１】実施例１のパターの斜視図
【図２】実施例１のパターの平面図
【図３】実施例１のパターの右側面図
【図４】実施例１のパターの正面図
【図５】実施例２のパターの斜視図
【図６】実施例２のパターの平面図
【図７】実施例２のパターの右側面図
【図８】実施例２のパターの背面図
【図９】実施例３のパターの斜視図
【図１０】実施例３のパターの平面図
【図１１】実施例３のパターの右側面図
【図１２】実施例３のパターの正面図
【図１３】従来のパターの斜視図
【図１４】従来のパターの平面図
【図１５】従来のパターの右側面図
【符号の説明】
【００２７】１，１１，２１，３１    ゴルフパター
２，１２，２２，３２    パターヘッド
３，１３，２３，３３    パターネック
４，１４，２４，３４    パターシャフト
Ｖ                      垂直軸
Ｐ                      パターシャフトの軸心
Θ                      ネックのライ角
【図１】
2008114027.tif 000003
【図２】
2008114027.tif 000004
【図３】
2008114027.tif 000005
【図４】
2008114027.tif 000006
【図５】
2008114027.tif 000007
【図６】
2008114027.tif 000008
【図７】
2008114027.tif 000009
【図８】
2008114027.tif 000010
【図９】
2008114027.tif 000011
【図１０】
2008114027.tif 000012
【図１１】
2008114027.tif 000013
【図１２】
2008114027.tif 000014
【図１３】
2008114027.tif 000015
【図１４】
2008114027.tif 000016
【図１５】
2008114027.tif 000017